(57)【要約】【課題】  止水部材の外径よりも大きい部材を使用して止水部材を押圧しながらボルト締めを行った際に、ボルト周囲を簡易な構造で確実に止水することが可能な止水部材及び防水方法を提供する。【解決手段】  本発明の止水部材１０は、未加硫の合成ゴム製粘着材１を環状に形成して、その周面に加硫した弾性を有するゴムシート２を配置したことを特徴とする。また、本発明の防水方法は、止水部材１０の外径よりも大きく、且つ、ボルト挿通孔が設けられた部材５，６により、止水部材１０を挟み、ボルト７を挿通することを特徴とする。【選択図】  図１
2013199789.tif 000002
【特許請求の範囲】
【請求項１】
未加硫の合成ゴム製粘着材を環状に形成して、その周面に加硫した弾性を有するゴムシートを配置したことを特徴とする止水部材。
【請求項２】
前記合成ゴム製粘着材は、針入度４０〜７０でゴムを主材として構成されることを特徴とする請求項１に記載の止水部材。
【請求項３】
前記合成ゴム製粘着材は、環状の芯材として発泡材を有することを特徴とする請求項１又は２に記載の止水部材。
【請求項４】
前記ゴムシートは、ＥＰＤＭ又はＩＩＲを主とした加硫ゴムから構成されることを特徴とする請求項１乃至３の何れか１項に記載の止水部材。
【請求項５】
前記合成ゴム製粘着材は、長尺に形成されたゴム材を円環状となるように接合したものとし、前記ゴムシートの固定部位は、前記合成ゴム製粘着材の接合部位とは反対側にあることを特徴とする請求項１乃至４の何れか１項に記載の止水部材。
【請求項６】
屋根面の防水方法であって、請求項１乃至５の何れか１項に記載の止水部材の外径よりも大きく、且つ、ボルト挿通孔が設けられた部材により、前記止水部材を上側から押圧して、ボルトを挿通することを特徴とする防水方法。
【発明の詳細な説明】
【技術分野】
【０００１】
本発明は、止水部材及びこれを用いた防水方法に関し、詳細には、屋根に太陽電池パネル等の部材を取り付ける際に足場となる取付治具を設ける際のボルト周りの防水に関する。
【背景技術】
【０００２】
従来、瓦の上に太陽光電池パネルを配置して、その上から押さえのための孔の空いた平板状の取付治具を置いて、孔から瓦の下の下地までボルトを貫通させて、ボルトを下地に固定していたが、瓦に設けたボルト孔や下地のボルト孔周辺での防水が不十分で漏水等の問題が生じていた。
このため、平板状の取付治具の代わりに、円盤状の未加硫の合成ゴム製粘着材の周りに円筒状に樹脂製シートを巻いた止水材を提案した（特願２０１０−２１２１９９）。
この止水材の合成ゴム製粘着材の上に、樹脂製シートの直径よりも小さいワッシャーを載せてボルトを締めをすれば、合成ゴム製粘着材が押圧により半径方向に広がって樹脂製シートを破断するので、施工の完了を目視できるという効果があった。
しかしながら、樹脂製シートの直径よりも大きいワッシャーを使用した場合には、ワッシャーが合成ゴム製粘着材ではなく、円筒状の樹脂製シートを軸方向に押すことになるために上記したような破断がし難くなる。このため、樹脂製シートが破断する前に内側の合成ゴム製粘着材が歪んでしまい、ボルトの周りに均一に合成ゴム製粘着材が広がらずにシールが不十分になるという問題があった。
【発明の概要】
【発明が解決しようとする課題】
【０００３】
そこで、本願発明は、止水部材の外径よりも大きい部材を使用して止水部材を押圧しながらボルト締めを行った際に、ボルト周囲を簡易な構造で確実に止水することが可能な止水部材及び防水方法を提供することを目的とする。
【課題を解決するための手段】
【０００４】
本発明の止水部材の第１の解決手段は、未加硫の合成ゴム製粘着材を環状に形成して、その周面に加硫した弾性を有するゴムシートを配置したことを特徴とする。
本発明の第２の解決手段は、第１の解決手段において、前記合成ゴム製粘着材は、針入度４０〜７０でゴムを主材として構成されることを特徴とする。
本発明の第３の解決手段は、第１又は第２の解決手段において、前記合成ゴム製粘着材は、環状の芯材として発泡材を有することを特徴とする。
本発明の第４の解決手段は、第１乃至第３の何れかの解決手段において、前記ゴムシートは、ＥＰＤＭ又はＩＩＲを主とした加硫ゴムから構成されることを特徴とする。
本発明の第５の解決手段は、第１乃至第４の何れかの解決手段において、前記合成ゴム製粘着材は、長尺に形成されたゴム材を円環状となるように接合したものとし、前記ゴムシートの固定部位は、前記合成ゴム製粘着材の接合部位とは反対側にあることを特徴とする。
本発明の屋根面の防水方法は、第１乃至５の何れかの解決手段に記載の止水部材の外径よりも大きく、且つ、ボルト挿通孔が設けられた部材により、前記止水部材を挟み、ボルトを挿通することを特徴とする。
【発明の効果】
【０００５】
本発明の止水部材によれば、未加硫の合成ゴム製粘着材を環状に形成して、その周面に加硫した弾性を有するゴムシートを配置することにより、合成ゴム製粘着材をゴムシートで半径方向内側に向かって押圧することにより、合成ゴム製粘着材の中央下面に位置するボルト孔等へ合成ゴム製粘着材を注入することができる。
【図面の簡単な説明】
【０００６】
【図１】本発明の一実施の形態の止水部材の斜視図
【図２】同止水部材の合成ゴム製粘着材の斜視図
【図３】同止水部材のゴムシートの端部の一実施の形態の説明図
【図４】同止水部材の合成ゴム製粘着材の端部とゴムシートの端部との好ましい態様の説明図
【図５】同止水部材を屋根面に適用する際の組み立て図
【図６】同組み立て図の組立後の断面図
【発明を実施するための形態】
【０００７】
図１は、本発明の止水部材１０の一実施の形態を示すもので、長尺の未加硫の合成ゴム製粘着材１を中央に貫通孔１ａが形成されるようにして巻回することにより環状に形成して、その周面に加硫した弾性を有するゴム２を配置して構成される。
未加硫の合成ゴムは、例えば、針入度４０〜７０の範囲のブチルゴム等を使用する。また、合成ゴム製粘着材１は、図２に示すように、芯材１ｂとして、ポリエチレンフォームやＥＰＤＭ等の発泡材を有するものが好ましい。図１に示す止水部材１０の上下両側から圧力が加えられた場合に、芯材１ｂよりも内側に位置する合成ゴム製粘着材１が芯材１ｂにより貫通孔１ａ側に押され、貫通孔１ａに挿入されるボルトの溝内に入り込むことでシール性を高めることができるからである。
尚、合成ゴムは、市販されているものでよく、例えば、ブチルゴムであれば、ＩＩＲ、カーボン、老化防止剤、ポリブテン等を使用することができる。
【０００８】
加硫した弾性を有するゴムシート２は、合成ゴム製粘着材１を軸方向に圧縮した際に半径方向に広がるにつれて併せて変形する。この加硫した弾性を有するゴムシート１の材料や形状は、合成ゴム製粘着材１の押圧力により適宜選択して決めるものであって特に制限をするものではない。
加硫した弾性を有するゴムシート２を構成する材料を例示すると、ＥＰＤＭ及びＩＩＲの合成ゴム材料に、カーボン、加硫剤、プロセスオイル等を添加して得られたもの等が挙げられる。
加硫した弾性を有するゴムシート２は予め型等により環状に形成してもよいが、図１に示すように、環状に形成された合成ゴム製粘着材１の周りに丁度１周巻回する（ゴムシート２の端面同士が接合する）ようにして設けても良いが、施工時にゴムシート２の接合面が開いて合成ゴム製粘着材１が流出して形状が大きく崩れることを防ぐためには、望ましくは図３に示すようにゴムシート２の端部が重複するようにして設ける。尚、加硫した弾性を有するゴムシート２の破断強度は、特に制限するものではないが９００±１００Ｎ／ｃｍ２程度、破断時の伸び５５０±５０（％）程度とすることが好ましい。
尚、合成ゴム製粘着材１及び加硫した弾性を有するゴムシート２の幅や厚み等の寸法は特に制限するものではなく施工部位に要求される耐久性等を考慮して決定することができる。例えば、図２に示した合成ゴム製粘着材１の断面寸法１０ｍｍ×１０ｍｍであり、発泡材から構成された芯材１ｂの直径が６ｍｍの場合には、ゴムシート２の厚み０．８〜１．２ｍｍ、幅１０ｍｍ程度で構成する。また、施工時に合成ボム性粘着材１の粘着力を使って位置決めや仮の取付をするために、ゴムシート２の幅と、合成ゴム製粘着材１の厚さとを同じくすればよい。
【０００９】
合成ゴム製粘着材１及び加硫した弾性を有するゴムシート２を巻回して環状に形成する場合には、図３及び図４に示すように、合成ゴム製粘着材１の端部同士が当接する位置１ｄと、ゴムシート２の両端部が近接する位置２ｄとは、止水部材１０の直径の両端、即ち、止水部材１０の中心にして互いに反対側に位置することが望ましい。止水部材１０の強度を高めることができるからである。
【００１０】
次に、本発明の止水部材１０を使用して太陽光パネル等の足場となる取付治具５を屋根６に取り付けることについて図５を参照して説明する。
屋根６は断面が波状に形成され、ボルト挿通孔６ａが設けられている。取付治具５は、断面が山状に構成されて屋根６の１つの波形の部分を上側から覆うことができる程度の大きさに構成されている。取付治具５にも同様にボルト挿通孔５ａが設けられている。
そして、図６に示すように、屋根６上に止水部材１０及び取付治具５を順に重ねて、ボルト７を挿通して、ボルト７の先を図示しないが屋根６の下地となる面にねじ止めして施工を完了する。
上記施工の際に、合成ゴム製粘着材１は、ゴムシート２の外側へ移動することが制限された状態で、上側の止水部材１０の外径よりも大きい部材である取付治具５と、下側の屋根６とで押圧されて、取付治具５のボルト挿通孔５ａ、屋根６のボルト挿通孔６ａに流れ込んでシールする。また、合成ゴム製粘着材１はボルト７側にも押されるので、ボルト７に設けられている溝にも流れ込みシールする。
【符号の説明】
【００１１】
１    合成ゴム製粘着材
２    加硫した弾性を有するゴムシート
４    ボルト
５    取付治具
６    屋根
７    ボルト
１ａ、５ａ、６ａ    ボルト挿通孔
１０    止水部材
【図１】
2013199789.tif 000003
【図２】
2013199789.tif 000004
【図３】
2013199789.tif 000005
【図４】
2013199789.tif 000006
【図５】
2013199789.tif 000007
【図６】
2013199789.tif 000008